(57)【要約】【課題】コスト上昇を抑えつつ、黒浮きが目立つのを抑制できる液晶表示装置を提供する。【解決手段】液晶パネル１６と、液晶パネル１６に対して光を照射するＬＥＤバックライト１８と、ＬＥＤバックライト１８を駆動するバックライト駆動部１９と、を備える液晶表示装置１において、液晶パネル１６の表示領域は、複数のサブ表示領域Ｓに分割され、ＬＥＤバックライト１８は、複数のサブ表示領域Ｓの各々に対応する複数の光源Ｌから成り、バックライト駆動部１９は、複数の光源Ｌの各々に対応して設けられた複数の光源ドライバＤを備え、表示領域の端部に位置するサブ表示領域Ｓの領域サイズは、当該表示領域の中央部に位置するサブ表示領域Ｓの領域サイズよりも小さくなるよう設定されていることを特徴とする。【選択図】図３
2010054793.tif 000002
【特許請求の範囲】
【請求項１】
液晶パネルと、当該液晶パネルに対して光を照射するバックライトと、当該バックライトを駆動するバックライト駆動部と、を備える液晶表示装置において、
前記液晶パネルの表示領域は、複数のサブ表示領域に分割され、
前記バックライトは、前記複数のサブ表示領域の各々に対応する複数の光源から成り、
前記バックライト駆動部は、前記複数の光源の各々に対応して設けられた複数のドライバを備え、
前記表示領域の端部に位置する前記サブ表示領域の領域サイズは、当該表示領域の中央部に位置する前記サブ表示領域の領域サイズよりも小さくなるよう設定されていることを特徴とする液晶表示装置。
【請求項２】
請求項１に記載の液晶表示装置において、
前記液晶パネルの表示領域の周囲を取り囲む黒色のベゼルを備えることを特徴とする液晶表示装置。
【請求項３】
液晶パネルと、当該液晶パネルに対して光を照射するＬＥＤバックライトと、当該ＬＥＤバックライトを駆動するバックライト駆動部と、を備える液晶表示装置において、
前記液晶パネルの表示領域の周囲を取り囲む黒色のベゼルを備え、
前記液晶パネルの表示領域は、複数のサブ表示領域に分割され、
前記ＬＥＤバックライトは、前記複数のサブ表示領域の各々に対応する複数の光源から成り、
前記バックライト駆動部は、前記複数の光源の各々に対応して設けられた複数のドライバを備え、
前記表示領域の上下左右端部に位置する前記サブ表示領域の領域サイズは、当該表示領域の中央部に位置する前記サブ表示領域の領域サイズよりも小さくなるよう設定されていることを特徴とする液晶表示装置。
【発明の詳細な説明】
【技術分野】
【０００１】
本発明は、液晶表示装置に関する。
【背景技術】
【０００２】
液晶表示装置では、液晶パネルの背面側からバックライト光を照射することで、液晶パネル上に画像を映出するようになっている。
【０００３】
液晶表示装置として、配列された複数のＬＥＤ（Light Emitting Diode）を光源とするＬＥＤバックライトを用いた液晶表示装置が知られている。このような液晶表示装置においては、複数のサブ表示領域に分割された液晶パネルと、そのサブ表示領域の各々に対応する複数の光源（光源の各々は、複数のＬＥＤを備えている）から成るＬＥＤバックライトと、を備えており、ＬＥＤバックライトを光源単位で駆動するようになっている（例えば、特許文献１〜３参照）。
【０００４】
ＬＥＤバックライトにおいて、各光源の発光輝度は、例えば、対応するサブ表示領域内の画素のうち、最も明るい画素の画像信号（輝度信号）に基づいて決定される。したがって、例えば、サブ表示領域内の画素の中に、光源が出力可能な最大発光輝度が必要な画素（高輝度の画素）が１つでもあれば、他の画素が低輝度であっても、その高輝度の画素を表示するために、光源を最大発光輝度で発光させることになるため、低輝度の部分が黒浮きしてしまうという問題がある。特に室内が暗い場合等、液晶パネルの表示領域の中でも、表示領域の端部の黒浮きが目立つという問題がある。
【０００５】
特許文献１においては、黒浮きの発生を防止するために、画像信号に基づいて点灯された分割領域（点灯光源）に隣接する非点灯領域（非点灯光源）の一定幅の隣接領域（隣接光源）を、その点灯された分割領域の発光輝度よりも小さい発光輝度にて点灯させる点灯動作を行うようになっている。
【特許文献１】特開２００８−５１９０５号公報
【特許文献２】特開２００５−２５８４０３号公報
【特許文献３】特開２００１−１４２４０９号公報
【発明の開示】
【発明が解決しようとする課題】
【０００６】
しかしながら、特許文献１の方法では、非点灯光源である隣接光源を発光させるため、本来は点灯させる必要のない光源を点灯させることになり、余分な電力を消費してしまうという問題がある。
また、サブ表示領域をより細かく設定すればするほど、各光源の発光輝度をより細かく設定できるため、黒浮きの問題は低減されるが、その場合、各光源を駆動させるドライバの個数が増え、コストアップしてしまうという問題がある。
【０００７】
本発明の課題は、コスト上昇を抑えつつ、黒浮きが目立つのを抑制できる液晶表示装置を提供することにある。
【課題を解決するための手段】
【０００８】
上記課題を解決するために、請求項１に記載の発明は、
液晶パネルと、当該液晶パネルに対して光を照射するバックライトと、当該バックライトを駆動するバックライト駆動部と、を備える液晶表示装置において、
前記液晶パネルの表示領域は、複数のサブ表示領域に分割され、
前記バックライトは、前記複数のサブ表示領域の各々に対応する複数の光源から成り、
前記バックライト駆動部は、前記複数の光源の各々に対応して設けられた複数のドライバを備え、
前記表示領域の端部に位置する前記サブ表示領域の領域サイズは、当該表示領域の中央部に位置する前記サブ表示領域の領域サイズよりも小さくなるよう設定されていることを特徴とする。
【０００９】
請求項２に記載の発明は、
請求項１に記載の液晶表示装置において、
前記液晶パネルの表示領域の周囲を取り囲む黒色のベゼルを備えることを特徴とする。
【００１０】
請求項３に記載の発明は、
液晶パネルと、当該液晶パネルに対して光を照射するＬＥＤバックライトと、当該ＬＥＤバックライトを駆動するバックライト駆動部と、を備える液晶表示装置において、
前記液晶パネルの表示領域の周囲を取り囲む黒色のベゼルを備え、
前記液晶パネルの表示領域は、複数のサブ表示領域に分割され、
前記ＬＥＤバックライトは、前記複数のサブ表示領域の各々に対応する複数の光源から成り、
前記バックライト駆動部は、前記複数の光源の各々に対応して設けられた複数のドライバを備え、
前記表示領域の上下左右端部に位置する前記サブ表示領域の領域サイズは、当該表示領域の中央部に位置する前記サブ表示領域の領域サイズよりも小さくなるよう設定されていることを特徴とする。
【発明の効果】
【００１１】
本発明によれば、液晶パネルと、当該液晶パネルに対して光を照射するバックライトと、当該バックライトを駆動するバックライト駆動部と、を備える液晶表示装置において、液晶パネルの表示領域は、複数のサブ表示領域に分割され、バックライトは、複数のサブ表示領域の各々に対応する複数の光源から成り、バックライト駆動部は、複数の光源の各々に対応して設けられた複数のドライバを備え、表示領域の端部に位置するサブ表示領域の領域サイズは、当該表示領域の中央部に位置するサブ表示領域の領域サイズよりも小さくなるよう設定されている。
すなわち、表示領域の端部におけるサブ表示領域を、表示領域の中央部におけるサブ表示領域よりも細かく設定しているため、表示領域の全てにおけるサブ表示領域を細かく設定する場合と比較して、各光源を駆動させるドライバの個数が増えるのを抑えることができる。また、表示領域の端部、すなわち、室内が暗い場合に黒浮きが目立つ部分のサブ表示領域を細かく設定しているため、表示領域の端部における各光源の発光輝度をより細かく設定することができる。したがって、コスト上昇を抑えつつ、黒浮きが目立つのを抑制できる。
【発明を実施するための最良の形態】
【００１２】
以下、図を参照して、本発明にかかる液晶表示装置の最良の形態を詳細に説明する。なお、発明の範囲は図示例に限定されない。
本実施の形態では、バックライトとしてＬＥＤバックライトを例示して説明することとする。
【００１３】
図１は、本実施形態の液晶表示装置の正面図の一例であり、図２は、本実施形態の液晶表示装置の機能的構成を示すブロック図の一例である。
【００１４】
本実施形態の液晶表示装置１は、例えば、入力された画像信号に基づく画像を表示する液晶ディスプレイである。
液晶表示装置１の正面側には、例えば、図１に示すように、液晶パネル１６と、液晶パネル１６の表示領域の周囲を取り囲むベゼル１０と、などが配置されている。本実施形態の液晶表示装置１において、ベゼル１０の色は、黒色であるとする。
【００１５】
液晶表示装置１は、例えば、図２に示すように、信号入力部１１と、映像処理部１２と、タイミング制御部１３と、フレームメモリ１４と、輝度算出部１５と、液晶パネル１６と、液晶駆動部１７と、ＬＥＤバックライト１８と、バックライト駆動部１９と、補正部２０と、制御部２１と、等を備えて構成される。
【００１６】
液晶パネル１６は、その表示領域を予め定められた分割方法で分割した複数のサブ表示領域Ｓ…から構成されている。また、液晶パネル１６の背面側に配置され、液晶パネル１６に対して光を照射するＬＥＤバックライト１８も同様に、各サブ表示領域Ｓ…に対応する複数の光源Ｌ…から構成されている。
【００１７】
図３（ａ）は、液晶パネル１６の表示領域を構成するサブ表示領域Ｓを説明するための図であり、図３（ｂ）は、ＬＥＤバックライト１８を構成する光源Ｌを説明するための図である。
【００１８】
図３（ａ）に示すように、本実施形態の液晶表示装置１では、液晶パネル１６の表示領域が、６４個のサブ表示領域Ｓに分割されている。そして、液晶パネル１６の表示領域の上下左右端部に位置するサブ表示領域Ｓ…の領域サイズは、液晶パネル１６の表示領域の上下左右端部以外の部分（液晶パネル１６の表示領域の中央部）に位置するサブ表示領域Ｓ…の領域サイズよりも小さくなるよう設定されている。
具体的には、例えば、図３（ａ）に示すように、液晶パネル１６の表示領域の中央部（すなわち、図３（ａ）においてドットで塗りつぶした領域）は、縦４個×横８個のサブ表示領域Ｓの等分割されている。また、液晶パネル１６の表示領域の上下端部における、表示領域の中央部と接する部分は、縦１個×横８個のサブ表示領域Ｓに等分割されており、この上下端部のサブ表示領域Ｓの縦の長さは、中央部のサブ表示領域Ｓの縦の長さの略半分、この上下端部のサブ表示領域Ｓの横の長さは、中央部のサブ表示領域Ｓの横の長さと略同一となるように設定されている。また、液晶パネル１６の表示領域の４つの角部は、上下端部のサブ表示領域Ｓと略同一サイズで上下方向に長尺なサブ表示領域Ｓに分割されており、液晶パネル１６の表示領域の左右端部における、４つの角部のサブ表示領域以外の部分は、縦６個×横１個のサブ表示領域Ｓに等分割されており、この左右端部のサブ表示領域Ｓの縦の長さは、中央部のサブ表示領域Ｓの縦の長さの略半分、この左右端部のサブ表示領域Ｓの横の長さは、中央部のサブ表示領域Ｓの横の長さの略半分となるように設定されている。
【００１９】
また、図３（ｂ）に示すように、本実施形態の液晶表示装置１では、ＬＥＤバックライト１８が、サブ表示領域Ｓの各々に対応する６４個の光源Ｌから構成されている。すなわち、液晶パネル１６を構成する各サブ表示領域Ｓと、ＬＥＤバックライト１８を構成する各光源Ｌとは、一対一の対応関係にあり、光源Ｌの正面視サイズは、その光源Ｌに対応するサブ表示領域Ｓの領域サイズと同一となるよう設定されている。
後述するように、ＬＥＤバックライト１８を構成する各光源Ｌは、対応するサブ表示領域Ｓ内の画素の画像信号から算出された発光輝度で発光されるようになっている。また、これらの各光源Ｌは、複数のＬＥＤを備えており、複数のＬＥＤのうち、制御部２１により指定されたＬＥＤのみが発光されるようになっている。
【００２０】
信号入力部１１は、例えば、テレビジョン放送信号を受信するアンテナ及びチューナや、外部装置からの画像信号を受信する各種映像端子などを備えて構成されており、例えば、入力される画像信号を受信する。
【００２１】
映像処理部１２は、例えば、Ａ／Ｄ変換回路、ＲＧＢ生成回路、画質調整回路等を備えて構成されており、例えば、信号入力部１１により受信された画像信号に基づいて、ＲＧＢのデジタル画像信号を生成し、液晶パネル１６の画素数に応じたスケーリング処理を行って、１フレーム分の画像信号を生成する。さらに、例えば、１フレーム分の画像信号に対して、制御部２１から入力される画質調整信号に基づいて、ブライトネス、コントラスト、色の濃さ、色合い、シャープネス等の各種画質調整を行う。
【００２２】
タイミング制御部１３は、例えば、信号入力部１１により受信された画像信号に基づいて、１ライン期間を示すタイミング信号と、１フレーム期間を示すタイミング信号と、を生成して、液晶表示装置１を構成する各部に供給する。
【００２３】
フレームメモリ１４は、例えば、映像処理部１２により各種画像調整が施された画像信号をフレーム単位で蓄積する。
【００２４】
輝度算出部１５は、例えば、フレームメモリ１４に蓄積された１フレーム分の画像信号に基づいて、サブ表示領域Ｓ毎に、サブ表示領域Ｓ内の画素の画像信号を構成する輝度信号から、各サブ表示領域Ｓに対応する各光源Ｌの発光輝度を算出する。
【００２５】
液晶パネル１６は、所定の間隔を隔てて配設された一対の基板の間に液晶が封入されて成る。これら一対の基板は、偏光軸が直交した２枚の偏光板で挟まれ、背面側にはＬＥＤバックライト１８が配設されている。
一対の基板のうちの一方の基板には、Ｘ行の走査線及びＹ列の信号線が互いに直交するように配列されている。走査線と信号線との各交点（各画素）には画素電極が形成され、画素電極に対向して他方の基板に対向電極が形成されている。また、画素電極と対向電極との対向面にはそれぞれ配向膜が形成されている。
【００２６】
液晶駆動部１７は、例えば、制御部２１から入力される制御信号に従って、液晶パネル１６を駆動する。
具体的には、液晶駆動部１７は、例えば、タイミング制御部１３から供給されるタイミング信号に従って、各走査線を順に選択するとともに、各走査線の走査に同期して、補正部２０により補正処理が施された画像信号に応じた電圧を信号線に対して印加することによって、画素電極と対向電極との間に挟持されている液晶の配列方向が変化させる。これにより、液晶は、配向膜や偏光板とともに、ＬＥＤバックライト１８から照射される光を画素単位で通過或いは遮断させる。
【００２７】
ＬＥＤバックライト１８は、複数のサブ表示領域Ｓの各々に対応する複数の光源Ｌから成る。光源Ｌの各々は、その基板上に複数のＬＥＤを備えている。
ここで、ＬＥＤバックライト１８において、ＬＥＤは、例えば、等間隔で配置されている。したがって、例えば、ＬＥＤバックライト１８の左右端部に位置する光源Ｌに縦２個×横２個（合計４個）のＬＥＤが備えられている場合、ＬＥＤバックライト１８の中央部に位置する光源Ｌの正面視サイズ（面積）は、左右端部に位置する光源Ｌの略４倍であるため、中央部に位置する光源Ｌには、例えば、縦４個×横４個（合計１６個）のＬＥＤが備えられている。
【００２８】
バックライト駆動部１９は、例えば、制御部２１から入力される制御信号に従って、ＬＥＤバックライト１８を駆動する。
具体的には、バックライト駆動部１９は、例えば、複数の光源Ｌの各々に対応して設けられた複数のドライバとしての複数の光源ドライバＤを備えている。すなわち、本実施形態の液晶表示装置１において、バックライト駆動部１９は、６４個の光源ドライバＤを備えている。
【００２９】
光源ドライバＤは、例えば、その光源ドライバＤに対応する光源Ｌに備わる複数のＬＥＤのうち、制御部２１から指示されたＬＥＤのみを発光させることによって、その光源Ｌを、その光源Ｌと対応関係にあるサブ表示領域Ｓ内の画素の画像信号から算出された発光輝度で発光させる。
なお、本実施形態の液晶表示装置１において、バックライト駆動部１９が備える光源ドライバＤは、全て同一性能を有するドライバであっても良いし、対応する光源Ｌに応じて異なる性能を有するドライバであっても良い。すなわち、各光源ドライバＤが駆動可能なＬＥＤの個数は、対応する光源Ｌに備わるＬＥＤの個数に関わらず同一であっても良いし、対応する光源Ｌに備わるＬＥＤの個数に応じて異なっていても良い。
【００３０】
ここで、本実施形態の液晶表示装置１の画面サイズは、例えば、４０インチ程度であるとする。従来の液晶表示装置において、画面サイズが４０インチ程度である場合、液晶パネルの表示領域は、縦８個×横８個のサブ表示領域に等分割されているため、ＬＥＤバックライトは６４個の光源から構成され、バックライト駆動部は６４個の光源ドライバを備えている。
すなわち、本実施形態の液晶表示装置１においては、従来の液晶表示装置であって本実施形態の液晶表示装置１と画面サイズが同一のものと同数の光源ドライバを備えるように、液晶パネル１６の表示領域をサブ表示領域Ｓに分割している。
したがって、従来の液晶表示装置であって本実施形態の液晶表示装置１と画面サイズが同一のものと同数の光源ドライバを備えるように、液晶パネル１６の表示領域をサブ表示領域Ｓに分割しているのであれば、本実施形態の液晶表示装置１の画面サイズは、４０インチ程度に限ることはなく任意であり、また、サブ表示領域Ｓの個数は６４個に限ることはなく任意である。
【００３１】
補正部２０は、例えば、発光させるＬＥＤの配置位置に起因して生じる輝度ムラを補填するように、サブ表示領域Ｓ内の画素の輝度を調整する。
【００３２】
ここで、例えば、図４に示すように、光源Ｌに、光源Ｌの左上角部付近に配置されたＬＥＤ「Ｌａ」と、右上角部付近に配置されたＬＥＤ「Ｌｂ」と、左下角部付近に配置されたＬＥＤ「Ｌｃ」と、右下角部付近に配置されたＬＥＤ「Ｌｄ」と、の４個のＬＥＤが分散されて配置されている場合、全てのＬＥＤを発光させずに何れか１〜３個のＬＥＤを発光させると、サブ表示領域Ｓの画像に輝度ムラが発生してしまう可能性が高い。例えば、左上角部付近に配置されたＬＥＤ「Ｌａ」のみを発光させると、対応するサブ表示領域Ｓの画像において、左上角部付近の領域から離れるほど（特に、右下角部付近に配置されたＬＥＤ「Ｌｄ」に対応する領域において）輝度が不足し、輝度の片寄りが目立つようになる。そこで、補正部２０によりサブ表示領域Ｓ内の画素の輝度を調整するようになっている。
【００３３】
具体的には、補正部２０は、例えば、サブ表示領域Ｓの画像において、光源Ｌからの光の輝度が、目標の輝度に達していない領域については、その領域内の画素の輝度を高くする補正を、フレームメモリ１４に蓄積された画像信号のうちの該当する画像信号に対して行うことで、輝度の不足分を補填する。一方、光源Ｌからの光の輝度が、目標の輝度を超える領域については、その領域内の画素の輝度を低くする補正を、フレームメモリ１４に蓄積された画像信号のうちの該当する画像信号に対して行うことで輝度の過多分を補填する。これにより、ＬＥＤをどのように配置しても、また、どのＬＥＤを発光させても、輝度ムラを抑制して各画素の必要な輝度に即した適切な表示を行うことができる。
【００３４】
制御部２１は、例えば、図２に示すように、ＣＰＵ（Central Processing Unit）２１１と、ＲＡＭ（Random Access Memory）２１２と、メモリ部２１３と、記憶部２１４と、などを備えており、液晶表示装置１を構成する各部を制御する。
【００３５】
ＣＰＵ２１１は、例えば、記憶部２１４に記憶された液晶表示装置１用の各種処理プログラムに従って各種の制御動作を行う。
【００３６】
ＲＡＭ２１２は、例えば、ＣＰＵ２１１によって実行される処理プログラムなどを展開するためのプログラム格納領域や、入力データや上記処理プログラムが実行される際に生じる処理結果などを格納するデータ格納領域などを備える。
【００３７】
メモリ部２１３は、例えば、ＣＰＵ２１１から入力される制御信号に従って、所定のデータを記憶したり、消去したりする。
【００３８】
記憶部２１４は、例えば、液晶表示装置１で実行可能なシステムプログラム、当該システムプログラムで実行可能な各種処理プログラム、これら各種処理プログラムを実行する際に使用されるデータ、ＣＰＵ２１１によって演算処理された処理結果のデータなどを記憶する。なお、プログラムは、コンピュータが読み取り可能なプログラムコードの形で記憶部２１４に記憶されている。
【００３９】
具体的には、記憶部２１４は、例えば、図２に示すように、液晶駆動制御プログラム２１４ａと、バックライト駆動制御プログラム２１４ｂと、補正制御プログラム２１４ｃと、などを記憶している。
【００４０】
液晶駆動制御プログラム２１４ａは、例えば、液晶駆動部１７に制御信号を入力して、補正部２０により補正された画像信号に基づいて、液晶パネル１６を駆動させる機能を、ＣＰＵ２１１に実現させる。
【００４１】
バックライト駆動制御プログラム２１４ｂは、例えば、バックライト駆動部１９に制御信号を入力して、輝度算出部１５により算出された発光輝度に基づいて、ＬＥＤバックライト１８を駆動させる機能を、ＣＰＵ２１１に実現させる。
【００４２】
具体的には、ＣＰＵ２１１は、例えば、輝度算出部１５に制御信号を入力して、光源Ｌ毎に、対応するサブ表示領域Ｓ内の画素の画像信号から、光源Ｌの発光輝度を算出させる。
より具体的には、ＣＰＵ２１１は、例えば、輝度算出部１５において、１フレーム分の画像信号を分割した各サブ表示領域Ｓ内の画素の画像信号から、光源Ｌの発光輝度を算出する。
【００４３】
次いで、ＣＰＵ２１１は、例えば、算出された光源Ｌの発光輝度を得るために最低限必要なＬＥＤの個数を決定する。
より具体的には、例えば、各ＬＥＤが出力可能な最大発光輝度が「５０」であり、一のサブ表示領域Ｓの画像信号から、対応する光源Ｌの発光輝度として「８０」が算出された場合、ＣＰＵ２１１は、算出された光源Ｌの発光輝度を得るために最低限必要なＬＥＤの個数を「２個」と決定する。
算出された光源Ｌの発光輝度を得るために最低限必要なＬＥＤの個数を決定することによって、発光させるＬＥＤの個数をなるべく少なくすることができる。
【００４４】
次いで、ＣＰＵ２１１は、例えば、決定した個数分のＬＥＤを、各ＬＥＤの累積発光時間の差が小さくなるように、複数のＬＥＤのうちから決定する。すなわち、複数のＬＥＤのうちから発光させるＬＥＤを決定する。
より具体的には、例えば、算出された光源Ｌの発光輝度を得るために最低限必要なＬＥＤの個数が「２個」と決定された場合、ＣＰＵ２１１は、その光源Ｌが備えるＬＥＤのうち、累積発光時間が最も少ないＬＥＤと、累積発光時間が２番目に少ないＬＥＤと、を発光させるＬＥＤとして決定する。なお、各ＬＥＤの累積発光時間は、例えば、メモリ部２１３に記憶されていることとする。
累積発光時間の差が小さくなるように発光させるＬＥＤを決定することによって、各ＬＥＤの累積発光時間に偏りが生じるのを抑えることができるため、ＬＥＤバックライト１８全体の長寿命化を図ることができる。
【００４５】
そして、ＣＰＵ２１１は、バックライト駆動部１９に制御信号を入力して、発光させるＬＥＤとして決定されたＬＥＤを発光させる。このとき、ＣＰＵ２１１は、決定されたＬＥＤを、算出された発光輝度を決定されたＬＥＤの個数で等分割した同一発光輝度で発光させても良いし、或いは、決定されたＬＥＤのうちの累積発光時間が少ないＬＥＤをそのＬＥＤが出力可能な最大発光輝度で発光させて、必要な輝度に達しない分の輝度を累積発光時間が多いＬＥＤで補うように発光させても良い。
【００４６】
補正制御プログラム２１４ｃは、例えば、補正部２０に制御信号を入力して、発光させるＬＥＤの配置位置に起因して生じる輝度ムラを補填するように、サブ表示領域Ｓ内の画素の輝度を調整させる機能を、ＣＰＵ２１１に実現させる。
【００４７】
具体的には、ＣＰＵ２１１は、例えば、発光させるＬＥＤとして決定されたＬＥＤの配置位置を特定する。なお、各ＬＥＤの配置位置は、例えば、メモリ部２１３に記憶されていることとする。
次いで、ＣＰＵ２１１は、補正部２０において、特定した配置位置に基づいて、各サブ表示領域Ｓにおける各画素の輝度値を、発光するＬＥＤからの距離により生じる輝度の過不足分を補填するように補正する。
【００４８】
以上説明した本実施形態の液晶表示装置１によれば、液晶パネル１６と、液晶パネル１６に対して光を照射するＬＥＤバックライト１８と、ＬＥＤバックライト１８を駆動するバックライト駆動部１９と、を備え、液晶パネル１６の表示領域は、複数のサブ表示領域Ｓに分割され、ＬＥＤバックライト１８は、複数のサブ表示領域Ｓの各々に対応する複数の光源Ｌから成り、バックライト駆動部１９は、複数の光源Ｌの各々に対応して設けられた複数の光源ドライバＤを備えている。そして、液晶パネル１６の表示領域の上下左右端部に位置するサブ表示領域Ｓの領域サイズは、液晶パネル１６の表示領域の中央部に位置するサブ表示領域Ｓの領域サイズよりも小さくなるよう設定されている。
すなわち、表示領域の上下左右端部におけるサブ表示領域Ｓを、表示領域の中央部におけるサブ表示領域Ｓよりも細かく設定しているため、表示領域の全てにおけるサブ表示領域を細かく設定する場合と比較して、各光源Ｌを駆動させる光源ドライバＤの個数が増えるのを抑えることができる。また、表示領域の上下左右端部、すなわち、室内が暗い場合に黒浮きが目立つ部分のサブ表示領域Ｓを細かく設定しているため、表示領域の端部における各光源Ｌの発光輝度をより細かく設定することができる。したがって、コスト上昇を抑えつつ、黒浮きが目立つのを抑制できる。
【００４９】
また、以上説明した本実施形態の液晶表示装置１によれば、液晶パネル１６の表示領域の周囲を取り囲む黒色のベゼル１０を備えている。
したがって、室内が暗い場合のみならず、ベゼル１０の色が黒色の場合にも、液晶パネル１６の表示領域の端部の黒浮きが目立つが、この黒浮きが目立つ部分のサブ表示領域Ｓを細かく設定しているため、好適である。
【００５０】
なお、本発明は、上記した実施の形態のものに限るものではなく、その要旨を逸脱しない範囲で適宜変更可能である。
【００５１】
＜変形例＞
サブ表示領域Ｓの分割数及び分割方法は、液晶パネル１６の表示領域の端部に位置するサブ表示領域Ｓの領域サイズが、液晶パネル１６の表示領域の中央部に位置するサブ表示領域Ｓの領域サイズよりも小さくなるよう設定されているのであれば任意であり、例えば、図５に示すように分割されていても良いし、図６に示すように分割されていても良い。
無論、サブ表示領域Ｓの分割数及び分割方法に関わらず、液晶パネル１６を構成する各サブ表示領域Ｓと、ＬＥＤバックライト１８を構成する各光源Ｌとは、一対一の対応関係にあり、光源Ｌの正面視サイズは、その光源Ｌに対応するサブ表示領域Ｓの領域サイズと同一となるよう設定される。
【００５２】
具体的には、例えば、図５に示す液晶パネル１６において、液晶パネル１６の表示領域の中央部（すなわち、図５においてドットで塗りつぶした領域）は、縦４個×横８個のサブ表示領域Ｓの等分割されている。また、液晶パネル１６の表示領域の上下端部における、表示領域の中央部と接する部分は、縦１個×横８個のサブ表示領域Ｓに等分割されており、この上下端部のサブ表示領域Ｓの縦の長さは、中央部のサブ表示領域Ｓの縦の長さの略半分、この上下端部のサブ表示領域Ｓの横の長さは、中央部のサブ表示領域Ｓの横の長さと略同一となるように設定されている。また、液晶パネル１６の表示領域の左右端部（液晶パネル１６の表示領域の４つの角部を含む）は、縦１０個×横１個のサブ表示領域Ｓに等分割されており、この左右端部のサブ表示領域Ｓの縦の長さは、中央部のサブ表示領域Ｓの縦の長さの略半分、この左右端部のサブ表示領域Ｓの横の長さは、中央部のサブ表示領域Ｓの横の長さの略半分となるように設定されている。
【００５３】
また、例えば、図６に示す液晶パネル１６において、液晶パネル１６の表示領域の中央部（すなわち、図５においてドットで塗りつぶした領域）は、縦４個×横８個のサブ表示領域Ｓの等分割されている。また、液晶パネル１６の表示領域の上下端部における、表示領域の中央部と接する部分は、縦１個×横１６個のサブ表示領域Ｓに等分割されており、この上下端部のサブ表示領域Ｓの縦の長さは、中央部のサブ表示領域Ｓの縦の長さの略半分、この上下端部のサブ表示領域Ｓの横の長さは、中央部のサブ表示領域Ｓの横の長さの略半分となるように設定されている。また、液晶パネル１６の表示領域の左右端部（液晶パネル１６の表示領域の４つの角部を含む）は、縦１０個×横１個のサブ表示領域Ｓに等分割されており、この左右端部のサブ表示領域Ｓの縦の長さは、中央部のサブ表示領域Ｓの縦の長さの略半分、この左右端部のサブ表示領域Ｓの横の長さは、中央部のサブ表示領域Ｓの横の長さの略半分となるように設定されている。
【００５４】
また、上記実施形態及び変形例では、液晶パネル１６の表示領域の上下左右端部以外の部分を液晶パネル１６の表示領域の中央部とし、その中央部を等分割して中央部の各サブ表示領域Ｓの領域サイズを同一としたが、中央部の分割数及び分割方法は、液晶パネル１６の表示領域の端部に位置するサブ表示領域Ｓの領域サイズが、液晶パネル１６の表示領域の中央部に位置するサブ表示領域Ｓの領域サイズよりも小さくなるよう設定されているのであれば任意であり、例えば、液晶パネル１６の表示領域の端部に近づくにつれて、サブ表示領域Ｓの領域サイズが小さくなるように分割しても良い。
【００５５】
また、上記実施形態及び変形例１では、上下左右端部に位置するサブ表示領域Ｓの領域サイズが、中央部に位置するサブ表示領域Ｓの領域サイズよりも小さくなるよう設定したが、液晶パネル１６の表示領域の上下左右端部のうちの少なくとも一端部に位置するサブ表示領域Ｓの領域サイズが、中央部に位置するサブ表示領域Ｓの領域サイズよりも小さいのであれば、サブ表示領域Ｓの領域サイズを小さくする端部の位置及び個数は任意である。
【００５６】
また、上記実施形態では、ベゼル１０の色を黒色としたが、ベゼル１０の色は黒色に限ることはなく任意である。
【００５７】
また、上記実施形態では、発光させるＬＥＤを、光源Ｌにおける各ＬＥＤの累積発光時間に基づいて決定することとしたが、累積発光時間以外に、ＬＥＤの寿命を左右する他の要因（例えば、ＬＥＤに印加した電圧値や発光間隔など）に基づいて、発光させるＬＥＤを決定するようにしても良い。
【００５８】
また、光源Ｌに備わるＬＥＤの個数及び配置位置は、上記実施形態の例に限られない。
【００５９】
また、上記実施形態では、バックライトとしてＬＥＤバックライト１８を挙げたが、バックライトが複数のサブ表示領域Ｓのおのおのに対応する複数の光源Ｌ（面発光体）から成り、バックライト駆動部１９が複数の光源Ｌの各々に対応して設けられた複数の光源ドライバＤを備えているのであれば、バックライトは、ＬＥＤバックライト１８に限ることはなく任意であり、例えば、ＥＬ（Electro-Luminescence）バックライト等であっても良い。
【図面の簡単な説明】
【００６０】
【図１】本実施形態の液晶表示装置の正面図の一例である。
【図２】本実施形態の液晶表示装置の機能的構成を示すブロック図の一例である。
【図３】本実施形態の液晶パネルの表示領域を構成するサブ表示領域を説明するための図（ａ）であり、本実施形態のＬＥＤバックライトを構成する光源を説明するための図（ｂ）である。
【図４】本実施形態のＬＥＤバックライトを構成する光源の一つを模式的に示す図である。
【図５】変形例の液晶パネルの表示領域を構成するサブ表示領域を説明するための図である。
【図６】変形例の液晶パネルの表示領域を構成するサブ表示領域を説明するための図である。
【符号の説明】
【００６１】
１  液晶表示装置
１０  ベゼル
１６  液晶パネル
１８  ＬＥＤバックライト（バックライト）
１９  バックライト駆動部
Ｄ  光源ドライバ（ドライバ）
Ｌ  光源
Ｓ  サブ表示領域
【図１】
2010054793.tif 000003
【図２】
2010054793.tif 000004
【図３】
2010054793.tif 000005
【図４】
2010054793.tif 000006
【図５】
2010054793.tif 000007
【図６】
2010054793.tif 000008